(57)【要約】  本願の実施例は端末を効果的にページングすることができるページング方法及び装置を提供し、該方法は、ネットワーク装置が、ページング対象である第１端末の情報に基づき、前記第１端末をページングするためのページングメッセージを送信するターゲットエリアを確定するステップと、前記ターゲットエリア内で前記ページングメッセージを送信するステップと、を含む。
2020519108.tif 000002
【特許請求の範囲】
【請求項１】
ネットワーク装置が、ページング対象である第１端末の情報に基づき、前記第１端末をページングするためのページングメッセージを送信するターゲットエリアを確定するステップと、
前記ターゲットエリア内で前記ページングメッセージを送信するステップと、を含むことを特徴とするページング方法。
【請求項２】
前記第１端末の情報は前記第１端末と第２端末の間の接続状態情報を含むことを特徴とする請求項１に記載の方法。
【請求項３】
前記第１端末は遠隔端末であり、前記第２端末は前記第１端末と前記ネットワーク装置の間の中継端末であることを特徴とする請求項２に記載の方法。
【請求項４】
前記ネットワーク装置が、ページング対象である第１端末の情報に基づき、ページングメッセージを送信するターゲットエリアを確定することは、
前記接続状態情報が、前記第１端末と前記第２端末の間の接続が確立済みであることを示す場合、前記ネットワーク装置が、前記第２端末の特定エリアを前記ターゲットエリアとして確定するステップを含み、
前記ターゲットエリア内で前記ページングメッセージを送信する前記ステップは、
前記第２端末の特定エリア内で前記ページングメッセージを送信するステップを含むことを特徴とする請求項２又は３に記載の方法。
【請求項５】
前記第１端末の情報は、前記第１端末のセルラーネットワークのリンク品質情報、前記第１端末と第２端末の間のリンク品質情報のうちの少なくとも１つを含むことを特徴とする請求項１〜３のいずれか一項に記載の方法。
【請求項６】
前記ネットワーク装置が、ページング対象である第１端末の情報に基づき、ページングメッセージを送信するターゲットエリアを確定することは、
前記ネットワーク装置が、前記第１端末のセルラーネットワークのリンク品質情報が第１所定条件を満たし、及び／又は前記第１端末と前記第２端末の間のリンク品質情報が第２所定条件を満たす場合、前記第２端末の特定エリアを前記ターゲットエリアとして確定するステップを含み、
前記ターゲットエリア内で前記ページングメッセージを送信する前記ステップは、
前記第２端末の特定エリア内で前記ページングメッセージを送信するステップを含むことを特徴とする請求項５に記載の方法。
【請求項７】
前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記第２端末の間のリンク品質情報が第２所定条件を満たすことは、前記第１端末と前記第２端末の間のリンク品質が予め設定された第２リンク品質閾値よりも高いことを含むことを特徴とする請求項６に記載の方法。
【請求項８】
前記第２端末の特定エリアは、前記第２端末のコアネットワークにおける登録エリア、前記第２端末のアクセスネットワークにおける登録エリア及びアクセスネットワークのページングエリアのうちの少なくとも１つを含むことを特徴とする請求項４、６又は７に記載の方法。
【請求項９】
前記ネットワーク装置はコアネットワーク装置又はアクセスネットワーク装置であることを特徴とする請求項１〜８のいずれか一項に記載の方法。
【請求項１０】
前記ネットワーク装置が前記第１端末をページングする必要があることを確定するステップをさらに含むことを特徴とする請求項１〜９のいずれか一項に記載の方法。
【請求項１１】
前記ネットワーク装置が、前記第１端末をページングする必要があることを確定することは、
前記ネットワーク装置が、前記第１端末のダウンリンクデータが到達した場合において、前記第１端末をページングする必要があることを確定するステップを含むことを特徴とする請求項１０に記載の方法。
【請求項１２】
ページング対象である第１端末の情報に基づき、前記第１端末をページングするためのページングメッセージを送信するターゲットエリアを確定するように構成される確定モジュールと、
前記ターゲットエリア内で前記ページングメッセージを送信するように構成される通信モジュールと、を備えることを特徴とするページング装置。
【請求項１３】
前記第１端末の情報は前記第１端末と第２端末の間の接続状態情報を含むことを特徴とする請求項１２に記載の装置。
【請求項１４】
前記第１端末は遠隔端末であり、前記第２端末は前記第１端末と前記装置の間の中継端末であることを特徴とする請求項１３に記載の装置。
【請求項１５】
前記確定モジュールは具体的には、
前記接続状態情報が、前記第１端末と前記第２端末の間の接続が確立済みであることを示す場合、前記第２端末の特定エリアを前記ターゲットエリアとして確定するように構成され、
前記通信モジュールは具体的には、
前記第２端末の特定エリア内で前記ページングメッセージを送信するように構成されることを特徴とする請求項１３又は１４に記載の装置。
【請求項１６】
前記第１端末の情報は、
前記第１端末のセルラーネットワークのリンク品質情報、前記第１端末と第２端末の間のリンク品質情報のうちの少なくとも１つを含むことを特徴とする請求項１２〜１５のいずれか一項に記載の装置。
【請求項１７】
前記確定モジュールは具体的には、
前記第１端末のセルラーネットワークのリンク品質情報が第１所定条件を満たし、及び／又は前記第１端末と前記第２端末の間のリンク品質情報が第２所定条件を満たす場合、前記第２端末の特定エリアを前記ターゲットエリアとして確定するように構成され、
前記通信モジュールは具体的には、
前記第２端末の特定エリア内で前記ページングメッセージを送信するように構成されることを特徴とする請求項１６に記載の装置。
【請求項１８】
前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記第２端末の間のリンク品質情報が第２所定条件を満たすことは、前記第１端末と前記第２端末の間のリンク品質が予め設定された第２リンク品質閾値よりも高いことを含むことを特徴とする請求項１７に記載の装置。
【請求項１９】
前記第２端末の特定エリアは、前記第２端末のコアネットワークにおける登録エリア、前記第２端末のアクセスネットワークにおける登録エリア及びアクセスネットワークのページングエリアのうちの少なくとも１つを含むことを特徴とする請求項１５、１７又は１８に記載の装置。
【請求項２０】
前記装置はコアネットワーク装置又はアクセスネットワーク装置であることを特徴とする請求項１２〜１９のいずれか一項に記載の装置。
【請求項２１】
前記確定モジュールはさらに、
前記第１端末をページングする必要があることを確定するように構成されることを特徴とする請求項１２〜２０のいずれか一項に記載の装置。
【請求項２２】
前記確定モジュールは具体的には、
前記第１端末のダウンリンクデータが到達した場合において、前記第１端末をページングする必要があることを確定するように構成されることを特徴とする請求項２１に記載の装置。
【発明の詳細な説明】
【技術分野】
【０００１】
本願は通信分野に関し、より具体的には、ページング方法及び装置に関する。
【背景技術】
【０００２】
デバイス・ツー・デバイス（Ｄ２Ｄ：Ｄｅｖｉｃｅ−ｔｏ−Ｄｅｖｉｃｅ）通信とは、中心ノード（たとえば、基地局）による転送を必要とせず、隣接する端末同士が近距離範囲内でダイレクトリンクを介してデータ伝送を行うことができる通信方式である。Ｄ２Ｄ通信とセルラーシステムはグラントされた帯域リソースを共有し、統一されたハイブリッドセルラーとＤ２Ｄネットワークを形成する。
【０００３】
ハイブリッドセルラーとＤ２Ｄネットワークでは、端末は２種の通信モードを有し、一つはセルラー通信モードであり、すなわち端末がセルラーネットワークを介してネットワーク装置と通信し、他方はＤ２Ｄ通信モードであり、すなわち端末同士がＤ２Ｄリンクを用いて直接通信する。端末がネットワーク装置より遠い場合、Ｄ２Ｄリレーによってネットワーク装置と該端末の間の通信を補助する必要があり、この場合、該Ｄ２Ｄリレーとネットワーク装置の間でセルラー通信モードを使用し、該端末とＤ２Ｄリレーの間でＤ２Ｄ通信モードを使用する。
【０００４】
従って、ネットワーク装置が如何に端末装置を効果的にページングするかは、研究する必要がある課題である。
【発明の概要】
【発明が解決しようとする課題】
【０００５】
本願の実施例は、端末装置を効果的にページングすることができるページング方法及び装置を提供する。
【課題を解決するための手段】
【０００６】
第１態様によれば、ページング方法を提供し、ネットワーク装置がページング対象である第１端末の情報に基づき、前記第１端末をページングするためのページングメッセージを送信するターゲットエリアを確定するステップと、前記ターゲットエリア内で前記ページングメッセージを送信するステップと、を含む。
【０００７】
好ましくは、前記第１端末は遠隔端末又は中継端末であり、前記第１端末とネットワーク装置の間がセルラーネットワークによってカバレッジされてもよく、セルラーネットワークのカバレッジ外にあってもよく、前記第１端末とネットワーク装置がセルラーネットワークによってカバレッジされる場合、前記ネットワーク装置はセルラーネットワークによって前記第１端末をページングでき、たとえば、前記ネットワーク装置はセルラーネットワークのカバレッジエリア内で前記第１端末をページングでき、つまり、前記ネットワーク装置と第１端末がセルラーネットワークによってカバレッジされる場合、前記ページングメッセージを送信するターゲットエリアは前記セルラーネットワークの一部又は全カバレッジエリアであり、前記ネットワーク装置はセルラーネットワークのカバレッジエリア内で前記ページングメッセージを送信し、前記第１端末をページングすることができる。
【０００８】
又は、前記第１端末とネットワーク装置の間がセルラーネットワークによってカバレッジされていない場合、前記第１端末とネットワーク装置は中継端末によって通信する必要があり、このように、前記ネットワーク装置は中継端末によって前記第１端末をページングすることができ、この場合、中継端末は、前記ネットワーク装置から送信されるページングメッセージを受信可能にする必要があり、前記ネットワーク装置は中継端末のページングエリア内で前記ページングメッセージを送信し、前記中継端末が前記ページングメッセージを受信し、前記ページングメッセージを前記第１端末に転送し、更に後続のデータ伝送を行う。
【０００９】
前記中継端末のページングエリアは前記中継端末がページングメッセージを受信可能なエリアであってもよく、たとえば、前記中継端末が現在常駐しているセル、又は前記中継端末のコアネットワークにおけるトラッキングエリア（ＴＡ：Ｔｒａｃｋｉｎｇ  Ａｒｅａ）リスト（ＬＩＳＴ）中のＴＡである。
【００１０】
第１態様において、第１態様のいくつかの実施形態では、前記第１端末の情報は前記第１端末と第２端末の間の接続状態情報を含む。
【００１１】
好ましくは、前記第１端末の情報は前記第１端末と接続を確立している中継端末の情報を含んでもよく、それによりネットワーク装置は前記中継端末の情報に基づき、前記第１端末と前記ネットワーク装置の間のターゲット中継端末を選択し、前記第１端末に対するページングメッセージを前記ターゲット中継端末に送信し、前記ターゲット中継端末によって前記ページングメッセージを前記第１端末に転送する。
【００１２】
好ましくは、前記第１端末の情報はさらに具体的には前記第１端末と接続を確立している中継端末と前記第１端末の間のリンク品質情報を含んでもよく、それにより前記ネットワーク装置は前記第１端末と中継端末の間のリンク品質情報に基づき、１つ又は複数の中継端末を前記第１端末とネットワーク装置の間のターゲット中継端末として選択し、前記第１端末に対するページングメッセージを前記１つ又は複数のターゲット端末に送信し、前記１つ又は複数のターゲット端末によって前記ページングメッセージを前記第１端末に転送する。
【００１３】
第１態様において、第１態様のいくつかの実施形態では、前記第１端末は遠隔端末であり、前記第２端末は前記第１端末と前記ネットワーク装置の間の中継端末である。
【００１４】
第１態様において、第１態様のいくつかの実施形態では、前記ネットワーク装置がページング対象である第１端末の情報に基づき、ページングメッセージを送信するターゲットエリアを確定することは、
前記接続状態情報が、前記第１端末と前記第２端末の間の接続が確立済みであることを示す場合、前記ネットワーク装置が、前記第２端末の特定エリアを前記ターゲットエリアとして確定するステップを含み、
前記した前記ターゲットエリア内で前記ページングメッセージを送信することは、
前記第２端末の特定エリア内で前記ページングメッセージを送信するステップを含む。
【００１５】
従って、本願の実施例に係るページング方法は、前記第１端末が遠隔端末であり、前記第２端末が中継端末である場合、前記ネットワーク装置がページング対象である第１端末と接続を確立している第２端末の特定エリア内で前記ページングメッセージを送信し、それにより前記第２端末が前記ページングメッセージを受信し、前記第２端末と前記第１端末の間で接続が確立されているため、前記第２端末が確立済みのリンクによって前記ページングメッセージを前記第１端末に転送でき、それにより前記第１端末に対する効果的なページングを実現する。
【００１６】
第１態様において、第１態様のいくつかの実施形態では、前記第１端末の情報は、
前記第１端末のセルラーネットワークのリンク品質情報、前記第１端末と第２端末の間のリンク品質情報のうちの少なくとも１つを含む。
【００１７】
第１態様において、第１態様のいくつかの実施形態では、前記ネットワーク装置がページング対象である第１端末の情報に基づき、ページングメッセージを送信するターゲットエリアを確定することは、
前記ネットワーク装置が、前記第１端末のセルラーネットワークのリンク品質情報が第１所定条件を満たし、及び／又は前記第１端末と前記第２端末の間のリンク品質情報が第２所定条件を満たす場合、前記第２端末の特定エリアを前記ターゲットエリアとして確定するステップを含み、
前記した前記ターゲットエリア内で前記ページングメッセージを送信することは、
前記第２端末の特定エリア内で前記ページングメッセージを送信するステップを含む。
【００１８】
第１態様において、第１態様のいくつかの実施形態では、前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記第２端末の間のリンク品質情報が第２所定条件を満たすことは、前記第１端末と前記第２端末の間のリンク品質が予め設定された第２リンク品質閾値よりも高いことを含む。
【００１９】
第１態様において、第１態様のいくつかの実施形態では、前記第２端末の特定エリアは、
前記第２端末のコアネットワークにおける登録エリア、前記第２端末のアクセスネットワークにおける登録エリア及びアクセスネットワークのページングエリアのうちの少なくとも１つを含む。
【００２０】
前記第２端末の特定エリアは前記第２端末をページングする可能性があるエリアと理解でき、又は、前記第２端末の特定エリアで前記ページングメッセージを送信することは、前記第２端末が前記ページングメッセージを受信し、更に前記ページングメッセージを前記第１端末に転送することに有利である。
【００２１】
好ましくは、前記第２端末の特定エリアは前記第２端末のコアネットワークにおける登録エリアを含んでもよく、つまり、前記第２端末のコアネットワークにおける登録エリア内で前記ページングメッセージを送信することは、前記第２端末が前記ページングメッセージを受信することに有利である。たとえば、前記第２端末のコアネットワークにおける登録エリアはコアネットワークに保存される前記第２端末が位置するトラッキングエリア（ＴＡ：Ｔｒａｃｋｉｎｇ  Ａｒｅａ）リスト（ＬＩＳＴ）を含み、すなわち、前記ネットワーク装置は前記第２端末が位置するＴＡ  ＬＩＳＴ中のトラッキングエリア内で前記ページングメッセージを送信でき、前記第２端末が位置するＴＡ  ＬＩＳＴは前記第２端末のコアネットワークでの登録が成功する時にコアネットワークに保存される前記第２端末のＴＡＬＩＳＴ情報を含み、又は前記第２端末が位置するＴＡ  ＬＩＳＴは前記第２端末がトラッキングエリア更新（ＴＡＵ：Ｔｒａｃｋｉｎｇ  Ａｒｅａ  Ｕｐｄａｔｅ）を行った後に前記第２端末が位置するＴＡ  ＬＩＳＴを含み、又は、前記第２端末のコアネットワークでの登録エリアはネットワーク装置によって確定された又は予め設定された前記第２端末をページングするためのコアネットワークエリアであり、本願の実施例では、それを限定しない。
【００２２】
好ましくは、前記第２端末の特定エリアはさらに前記第２端末のアクセスネットワークにおける登録エリアを含んでもよく、つまり、前記第２端末のアクセスネットワークにおける登録エリア内で前記ページングメッセージを送信することは、前記第２端末が前記ページングメッセージを受信することに有利である。前記第２端末のアクセスネットワークにおける登録エリアは前記第２端末が前記ページングメッセージを受信することに有利であるアクセスネットワークエリアと理解でき、たとえば、前記第２端末のアクセスネットワークにおける登録エリアは前記第２端末が起動後に常駐するセル、又はセル再選択後に常駐するセル、又は位置更新後に常駐するセルを含み、又は前記第２端末のアクセスネットワークにおける登録エリアは前記ネットワーク装置によって確定された又は予め設定された前記第２端末をページングするためのアクセスネットワークエリアである。
【００２３】
好ましくは、アクセスネットワークのページングエリアはネットワーク装置のカバレッジ内にある１つ又は複数のセルのうちの一部又はすべて、すなわち前記ネットワーク装置のセルラーネットワークのカバレッジ内にあるエリアのうちの一部又はすべてを含む。
【００２４】
第１態様において、第１態様のいくつかの実施形態では、前記ネットワーク装置はコアネットワーク装置又はアクセスネットワーク装置である。
【００２５】
第１態様において、第１態様のいくつかの実施形態では、前記方法は、
前記ネットワーク装置が前記第１端末をページングする必要があることを確定するステップをさらに含む。
【００２６】
第１態様において、第１態様のいくつかの実施形態では、前記ネットワーク装置が前記第１端末をページングする必要があることを確定することは、
前記ネットワーク装置が、前記第１端末のダウンリンクデータが到達した場合において、前記第１端末をページングする必要があることを確定するステップを含む。
【００２７】
第２態様によれば、ページング装置を提供し、第１態様又はその各種の実施形態に係る方法を実行するように構成されるユニットを備える。
【００２８】
第３態様によれば、ページング装置を提供し、メモリ、プロセッサ及び送受信機を備え、前記メモリはプログラムを記憶するように構成され、前記プロセッサはプログラムを実行するように構成され、前記プログラムが実行されると、前記プロセッサは前記送受信機に基づき第１態様又はその各種の実施形態に係る方法を実行する。
【００２９】
第４態様によれば、コンピュータ可読媒体を提供し、前記コンピュータ可読媒体はネットワーク装置が実行するプログラムコードを記憶するように構成され、前記プログラムコードは第１態様又はその各種の実施形態に係る方法を実行するための命令を含む。
【図面の簡単な説明】
【００３０】
【図１】図１は本願の実施例に係る無線通信システムの概略図である。
【図２】図２は本願の実施例に係るページング方法の概略フローチャートである。
【図３】図３は本願の実施例に係るページング装置の概略ブロック図である。
【図４】図４は本願の別の実施例に係るページング装置の概略ブロック図である。
【発明を実施するための形態】
【００３１】
以下、図面を参照して本願の実施例の技術案を説明する。
【００３２】
なお、本明細書では、用語「システム」及び「ネットワーク」は本明細において常に交換に使用されている。本明細書では、用語「及び／又は」は単に関連対象の関連関係を示すものであり、３種の関係が存在することを示し、例えば、Ａ及び／又はＢの場合、Ａのみが存在すること、ＡとＢが同時に存在すること、及びＢのみが存在することを示す。また、本明細書では、文字「／」は、一般には、前後の関連対象が「又は」の関係を有することを示す。
【００３３】
図１は本願の実施例に応用される無線通信システム１００の概略図であり、該無線通信システム１００は少なくとも１つのネットワーク装置１１０を備える。ネットワーク装置１００は端末装置と通信する装置であってもよい。各ネットワーク装置１００は特定の地理的エリアに通信カバレッジを提供し、且つ該カバレッジエリア内で位置する端末装置と通信可能である。該ネットワーク装置１００は、ＧＳＭシステム又は符号分割多元接続（ＣＤＭＡ：Ｃｏｄｅ  Ｄｉｖｉｓｉｏｎ  Ｍｕｌｔｉｐｌｅ  Ａｃｃｅｓｓ）システム中の基地局（ＢＴＳ：Ｂａｓｅ  Ｔｒａｎｓｃｅｉｖｅｒ  Ｓｔａｔｉｏｎ）であってもよく、ＷＣＤＭＡシステム中の基地局（ＮＢ：ＮｏｄｅＢ）であってもよく、ＬＴＥシステム中の発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）中の無線コントローラであってもよく、又は該ネットワーク装置は中継局、アクセスポイント、車載装置、ウェアラブル装置、将来の５Ｇネットワーク中のネットワーク側装置又は将来の発展型地上波公共移動通信ネットワーク（ＰＬＭＮ：Ｐｕｂｌｉｃ  Ｌａｎｄ  Ｍｏｂｉｌｅ  Ｎｅｔｗｏｒｋ）中のネットワーク装置等であってもよい。
【００３４】
該無線通信システム１００は複数の端末装置、たとえば、図１に示される端末装置１２１、１２２、１２３、１２４、１２５及び１２６をさらに備える。該端末装置は移動型又は固定型である。該端末装置は、アクセス端末、ユーザー装置（ＵＥ：Ｕｓｅｒ  Ｅｑｕｉｐｍｅｎｔ）、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置又は無線モデムに接続されるほかの処理装置、車載装置、ウェアラブル装置、将来の５Ｇネットワーク中の端末装置又は将来の発展型ＰＬＭＮ中の端末装置等であってもよい。
【００３５】
図１は１つのネットワーク装置及び６つの端末装置を例示し、好ましくは、該無線通信システム１００は複数のネットワーク装置及びほかの数の端末装置を備え、本願の実施例では、それを限定しない。また、該無線通信システム１００はモバイル管理エンティティ（ＭＭＥ：Ｍｏｂｉｌｅ  Ｍａｎａｇｅｍｅｎｔ  Ｅｎｔｉｔｙ）、サービスゲートウェイ（Ｓ−ＧＷ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）等のほかのネットワークエンティティをさらに備えてもよいが、本願の実施例では、それに限定されない。
【００３６】
具体的には、端末装置はセルラー通信モード又はＤ２Ｄ通信モードで通信可能であり、セルラー通信モードでは、端末装置はネットワーク装置を介してほかの端末装置と通信し、Ｄ２Ｄ通信モードでは、端末装置はＤ２Ｄリンクを介してほかの端末装置と直接通信する。
【００３７】
図１に示される複数の端末装置では、端末装置１２１と端末装置１２５は遠隔端末と呼ばれ、それぞれ中継端末１２２と１２４を介してネットワーク装置１１０と通信可能であり、端末装置１２２と端末装置１２４は遠隔端末１２１及び遠隔端末１２５とネットワーク装置１１０との間のデータを中継し、このとき、端末装置１２２と端末装置１２４は中継端末と呼ばれ、該中継端末１２２と１２４はほかの端末装置を補助するのではなく、ネットワーク装置と直接通信してもよく、端末装置１２３は中継端末を経由せずにネットワーク装置１１０と通信してもよく、ほかの端末装置を中継せずにネットワーク装置１１０と通信してもよい。
【００３８】
端末装置１２２、１２３、１２４及び１２６とネットワーク装置１１０との間にＵｕインタフェースを有し、セルラー通信技術によってネットワーク装置１１０と通信可能である。中継端末と遠隔端末との間にＰＣ５インタフェースを有し、Ｄ２Ｄ通信技術によって通信し、該Ｄ２Ｄ通信技術は具体的にはＬＴＥ中のサイドリンク（ＳＬ：ＳｉｄｅＬｉｎｋ）技術であってもよく、ＷＬＡＮ中のＷＩＦＩ又はブルートゥース等の技術、又はほかのＤ２Ｄ通信技術であってもよく、本願の実施例では、それを限定しない。勿論、端末装置１２１と端末装置１２５は中継端末を経由せずにネットワーク装置１１０と直接通信してもよく、このとき、端末装置１２１及び端末装置１２５とネットワーク装置との間にＵｕインタフェースを有し、セルラー通信技術によってネットワーク装置１１０と通信できる。
【００３９】
ネットワーク装置は端末装置のダウンリンクデータが到達することを確定する時、どの範囲内で端末装置をページングするかを分からないのであり、たとえば、該端末装置が遠隔端末であり、前記端末装置がセルラーネットワークにカバーされておらず、すなわち前記端末装置がセルラーネットワークのカバレッジエリア外にあり、この場合、前記ネットワーク装置がセルラーネットワークのカバレッジエリア内で前記端末装置をページングする場合、前記端末装置を効果的にページングできず、前記端末装置もネットワーク装置から送信されるダウンリンクデータをタイムリーに受信できず、ユーザーエクスペリエンスを損なってしまう。
【００４０】
又は、第１端末が遠隔端末であり、前記第１端末がセルラーネットワークにカバーされておらず、ネットワーク装置が前記第１端末をページングするためのページングメッセージを第２端末が受信可能な範囲内で送信し、すなわち前記第２端末が前記ページングメッセージを受信可能であるが、前記第２端末と第１端末の間に確立済みのダイレクトリンクがない場合、前記第１端末に対するページングメッセージを前記第１端末に転送するには、前記第２端末はさらに前記第１端末とダイレクトリンクを確立する必要があり、従って前記第１端末によるページングメッセージの受信の遅延を招き、更に、前記第１端末もネットワーク装置から送信されるダウンリンクデータをタイムリーに受信できず、ユーザーエクスペリエンスを損なってしまう。
【００４１】
上記事情に鑑みて、本願の実施例はページング方法を提供し、ネットワーク装置がページングメッセージを送信する前、ページング対象である第１端末の情報に基づき、前記ページングメッセージを送信するターゲットエリアを確定し、前記ターゲットエリア内で前記第１端末をページングし、それにより前記第１端末を効果的にページングでき、更に後続のデータ伝送を行う。
【００４２】
図２は本願の実施例に係るページング方法２００の概略フローチャートであり、図２に示すように、該方法２００は、
ネットワーク装置がページング対象である第１端末の情報に基づき、前記第１端末をページングするためのページングメッセージを送信するターゲットエリアを確定するステップＳ２１０と、
前記ターゲットエリア内で前記ページングメッセージを送信するステップＳ２２０と、を含む。
【００４３】
なお、図２は本願の実施例に係るページング方法の概略フローチャートであり、該方法の詳細な通信ステップ又は操作を示すが、これらのステップ又は操作は一例に過ぎず、本発明の実施例はさらにほかの操作又は図２中の各種の操作の変形を実行することができる。また、図２中の各ステップはそれぞれ図２に示される順序と異なる順序で実行でき、且つ必ずしも図２中のすべての操作を実行しない。
【００４４】
好ましくは、本願の実施例では、Ｓ２１０の前、前記方法は、
前記ネットワーク装置が、前記第１端末をページングする必要があることを確定するステップをさらに含む。
【００４５】
たとえば、前記ネットワーク装置は前記第１端末のダウンリンクデータが到達した場合において、前記第１端末をページングする必要があることを確定し、又は、前記ネットワーク装置はほかのトリガー条件に基づき前記第１端末をページングしてもよく、本願の実施例では、それを限定しない。
【００４６】
本願の実施例では、前記第１端末は遠隔端末又は中継端末であり、前記第１端末とネットワーク装置がセルラーネットワークによってカバレッジされてもよく、セルラーネットワークのカバレッジ外にあってもよく、前記第１端末とネットワーク装置がセルラーネットワークによってカバレッジされる場合、前記ネットワーク装置はセルラーネットワークによって前記第１端末をページングでき、たとえば、前記ネットワーク装置はセルラーネットワークのカバレッジエリア内で前記第１端末をページングでき、つまり、前記ネットワーク装置と第１端末がセルラーネットワークによってカバレッジされる場合、前記ページングメッセージを送信するターゲットエリアは前記セルラーネットワークの一部又は全カバレッジエリアであり、前記ネットワーク装置はセルラーネットワークのカバレッジエリア内で前記ページングメッセージを送信し、前記第１端末をページングすることができる。
【００４７】
又は、前記第１端末とネットワーク装置の間がセルラーネットワークによってカバレッジされていない場合、前記第１端末とネットワーク装置は中継端末によって通信する必要があり、このように、前記ネットワーク装置は中継端末によって前記第１端末をページングすることができ、このように、中継端末は、前記ネットワーク装置から送信されるページングメッセージを受信可能にする必要があり、前記ネットワーク装置は中継端末のページングエリア内で前記ページングメッセージを送信し、前記中継端末が前記ページングメッセージを受信し、前記ページングメッセージを前記第１端末に転送し、更に後続のデータ伝送を行う。
【００４８】
前記中継端末のページングエリアは前記中継端末がページングメッセージを受信可能なエリアであってもよく、たとえば、前記中継端末が現在常駐しているセル、又は前記中継端末のコアネットワークにおけるトラッキングエリア（ＴＡ：Ｔｒａｃｋｉｎｇ  Ａｒｅａ）リスト（ＬＩＳＴ）中のＴＡである。
【００４９】
好ましくは、いくつかの実施例では、前記ページングメッセージは前記第１端末の識別情報、たとえば、システムアーキテクチャエボリューション一時的移動局識別子（Ｓｙｓｔｅｍ  Ａｒｃｈｉｔｅｃｔｕｒｅ  Ｅｖｏｌｕｔｉｏｎ（「ＳＡＥ」と略称）  Ｔｅｍｐｏｒａｒｙ  Ｍｏｂｉｌｅ  Ｓｔａｔｉｏｎ  Ｉｄｅｎｔｉｆｉｅｒ：「Ｓ−ＴＭＳＩ」と略称）又は国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、又は無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）を含み、前記識別情報は中継端末が前記ページングメッセージを受信した後、前記識別情報に基づき前記ページングメッセージを前記第１端末に転送することに用いられる。
【００５０】
好ましくは、いくつかの実施例では、前記第１端末の情報は前記第１端末と第２端末の間の接続状態情報を含む。
【００５１】
前記第１端末と前記第２端末の間の接続状態情報は前記第１端末と前記第２端末の間の接続が確立されているか否かを指示する。
【００５２】
好ましくは、前記第１端末は遠隔端末であり、前記第２端末は中継端末である。すなわち、前記第１端末の情報は前記第１端末と前記第２端末の間の接続が確立されているか否か、すなわち、Ｄ２Ｄリンクというダイレクトリンクが確立されているか否かを指示する。
【００５３】
好ましくは、前記第１端末の情報は前記第１端末と接続を確立している中継端末の情報を含んでもよく、それによりネットワーク装置は前記中継端末の情報に基づき、前記第１端末と前記ネットワーク装置の間のターゲット中継端末を選択し、前記第１端末に対するページングメッセージを前記ターゲット中継端末に送信し、前記ターゲット中継端末によって前記ページングメッセージを前記第１端末に転送する。
【００５４】
好ましくは、前記第１端末の情報はさらに具体的には前記第１端末と接続を確立している中継端末と前記第１端末の間のリンク品質情報を含んでもよく、それにより前記ネットワーク装置は前記第１端末と中継端末の間のリンク品質情報に基づき、１つ又は複数の中継端末を前記第１端末とネットワーク装置の間のターゲット中継端末として選択し、前記第１端末に対するページングメッセージを前記１つ又は複数のターゲット端末に送信し、前記１つ又は複数のターゲット端末によって前記ページングメッセージを前記第１端末に転送する。
【００５５】
好ましくは、いくつかの実施例では、前記第１端末の情報は前記第１端末と第２端末の間の接続状態情報を含む場合、Ｓ２１０は、
前記接続状態情報が、前記第１端末と前記第２端末の間の接続が確立済みであることを示す場合、前記ネットワーク装置が、前記第２端末の特定エリアを前記ターゲットエリアとして確定するステップを更に含み、
Ｓ２２０は、前記第２端末の特定エリア内で前記ページングメッセージを送信するステップを更に含む。
【００５６】
具体的には、現在前記第１端末と接続を確立している端末装置は１つ又は複数であってもよく、前記第１端末と接続を確立している端末装置の集合を候補中継端末集合とし、前記第２端末は前記候補中継端末集合中の１つ又は複数を含んでもよい。たとえば、前記第２端末は前記候補中継端末集合中の、前記第１端末との間のリンク品質が所定の条件を満たす端末装置を含み、又は、前記第２端末は前記候補中継端末集合中の、前記第１端末との間のリンク品質が最も高い端末装置である。
【００５７】
前記第１端末と前記第２端末との間に接続が確立されており、すなわちＤ２Ｄリンクが確立されているため、前記ネットワーク装置は前記第２端末の特定エリアを前記ページングメッセージを送信するターゲットエリアとして確定し、前記第２端末の特定エリア内で前記ページングメッセージを送信することができ、ここで、前記第２端末の特定エリアは前記第２端末をページング可能なエリア、又は、前記第２端末が前記ページングメッセージを受信可能なエリアであると理解である。
【００５８】
好ましくは、前記第２端末が複数の端末を含む場合、前記第２端末の特定エリアは前記複数の端末の登録エリアの共通集合、又は前記複数の端末の登録エリアの和集合であり、たとえば、前記第２端末がＵＥ１とＵＥ２を含み、ＵＥ１の登録エリアがＡ１、ＵＥ２の登録エリアがＡ２である場合、前記第２端末の特定エリアはＡ１∩Ａ２であり、又は前記第２端末の特定エリアはＡ１∪Ａ２であり、ここでそれを限定しない。
【００５９】
従来技術では、前記第１端末が遠隔端末である場合、前記ネットワーク装置はネットワーク中のいずれかの中継端末にページングメッセージを送信し、前記いずれかの中継端末は前記第１端末と接続を確立していない可能性があり、この場合、前記中継端末は前記ページングメッセージを中継するには、更に前記第１端末と接続を確立する必要があり、従って、前記第１端末に前記ページングメッセージをタイムリーに中継できず、ネットワーク装置のページング効率を損なう。
【００６０】
従って、本願の実施例に係るページング方法は、前記第１端末が遠隔端末であり、前記第２端末が中継端末である場合、前記ネットワーク装置がページング対象である第１端末と接続を確立している第２端末の特定エリア内で前記ページングメッセージを送信し、それにより前記第２端末が前記ページングメッセージを受信し、前記第２端末と前記第１端末の間で接続が確立されているため、前記第２端末が確立済みのリンクによって前記ページングメッセージを前記第１端末に転送でき、それにより前記第１端末に対する効果的なページングを実現する。
【００６１】
好ましくは、いくつかの実施例では、前記第２端末の特定エリアは、
前記第２端末のコアネットワークにおける登録エリア、前記第２端末のアクセスネットワークにおける登録エリア及びアクセスネットワークのページングエリアのうちの少なくとも１つを含む。
【００６２】
たとえば、前記第２端末のコアネットワークにおける登録エリアはコアネットワークに保存される前記第２端末が位置するトラッキングエリア（ＴＡ：Ｔｒａｃｋｉｎｇ  Ａｒｅａ）リスト（ＬＩＳＴ）を含み、すなわち前記ネットワーク装置は前記第２端末が位置するＴＡ  ＬＩＳＴ中のトラッキングエリア内で前記ページングメッセージを送信でき、前記第２端末が位置するＴＡ  ＬＩＳＴは前記第２端末のコアネットワークでの登録が成功する時にコアネットワークに保存される前記第２端末のＴＡＬＩＳＴ情報を含み、又は前記第２端末が位置するＴＡ  ＬＩＳＴは前記第２端末がトラッキングエリア更新（ＴＡＵ：Ｔｒａｃｋｉｎｇ  Ａｒｅａ  Ｕｐｄａｔｅ）を行った後に前記第２端末が位置するＴＡ  ＬＩＳＴを含み、又は、前記第２端末のコアネットワークでの登録エリアはネットワーク装置によって確定された又は予め設定された前記第２端末をページングするためのコアネットワークエリアであり、本願の実施例では、それを限定しない。
【００６３】
本願の実施例では、前記第２端末のアクセスネットワークにおける登録エリアは前記第２端末をページングするためのアクセスネットワークエリアと理解でき、たとえば、前記第２端末のアクセスネットワークにおける登録エリアは前記第２端末が起動後に常駐するセル、又はセル再選択後に常駐するセル、又は位置更新後に常駐するセルを含み、又は前記第２端末のアクセスネットワークにおける登録エリアは前記ネットワーク装置によって確定された又は予め設定された前記第２端末をページングするためのアクセスネットワークエリアである。
【００６４】
本願の実施例では、アクセスネットワークのページングエリアはネットワーク装置のカバレッジ内にある１つ又は複数のセルのうちの一部又はすべて、すなわち前記ネットワーク装置のセルラーネットワークのカバレッジ内にあるエリアのうちの一部又はすべてを含む。
【００６５】
好ましくは、いくつかの実施例では、上記した前記第１端末の情報は、
前記第１端末のセルラーネットワークのリンク品質情報、前記第１端末と第２端末の間のリンク品質情報のうちの少なくとも１つをさらに含んでもよい。
【００６６】
つまり、前記第１端末の情報は前記第１端末と前記第２端末の接続状態情報、前記第１端末のセルラーネットワークのリンク品質情報及び前記第１端末と第２端末の間のリンク品質情報のうちの少なくとも１つを含んでもよい。
【００６７】
好ましくは、前記第２端末が複数の端末を含む場合、前記第１端末と第２端末の間のリンク品質情報は前記第１端末と複数の端末の間のリンク品質情報を含んでもよい。
【００６８】
好ましくは、一実施例として、Ｓ２１０は更に、
前記ネットワーク装置が、前記第１端末のセルラーネットワークのリンク品質情報が第１所定条件を満たし、及び／又は前記第１端末と前記第２端末の間のリンク品質情報が第２所定条件を満たす場合、前記第２端末の特定エリアを前記ターゲットエリアとして確定するステップを含んでもよく、
前記した前記ターゲットエリア内で前記ページングメッセージを送信することは、
前記第２端末の特定エリア内で前記ページングメッセージを送信するステップを含む。
【００６９】
つまり、前記ネットワーク装置は前記第１端末のセルラーネットワークのリンク品質情報及び／又は前記第１端末と前記第２端末の間のリンク品質情報に基づき、前記ページングメッセージを送信するターゲットエリアを確定することができる。たとえば、前記ネットワーク装置は前記第１端末のセルラーネットワークのリンク品質が比較的高い場合、セルラーネットワークによって前記第１端末をページングすることを確定し、たとえば、前記ネットワーク装置はセルラーネットワークのカバレッジエリアを前記ターゲットエリアとして確定し、セルラーネットワークのカバレッジエリア内で前記ページングメッセージを送信する。
【００７０】
又は、前記ネットワーク装置は前記第１端末と前記第２端末の間のリンク品質が比較的高い場合、前記第２端末が前記ページングメッセージを受信し、前記ページングメッセージを前記第１端末に中継するように、前記第２端末の特定エリア内で前記ページングメッセージを送信することを確定する。
【００７１】
又は、前記ネットワーク装置は前記第１端末のセルラーネットワークのリンク品質が前記第１端末と前記第２端末の間のリンク品質よりも高いである場合、セルラーネットワークによって前記第１端末をページングすることを確定し、すなわちセルラーネットワークのカバレッジエリア内で前記ページングメッセージを送信し、又は、前記第１端末のセルラーネットワークのリンク品質が前記第１端末と前記第２端末の間のリンク品質よりも低い場合、前記第２端末の特定エリア内で前記ページングメッセージを送信することを確定する。
【００７２】
ここでは、前記第２端末の特定エリアは上述した前記第２端末の特定エリアを参照すればよく、簡潔さのため、ここで重複説明を省略する。
【００７３】
たとえば、前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記第２端末の間のリンク品質情報が第２所定条件を満たすことは、前記第１端末と前記第２端末の間のリンク品質が予め設定された第２リンク品質閾値よりも高いことを含む。
【００７４】
つまり、前記ネットワーク装置は、前記第１端末のセルラーネットワークのリンク品質が第１リンク品質閾値未満であり、すなわち前記第１端末のセルラーネットワークのリンク品質が低い場合、前記第２端末の特定エリアに前記ページングメッセージを送信し、又は、前記第１端末と前記第２端末の間のリンク品質が予め設定された第２リンク品質閾値よりも高く、すなわち前記第１端末と前記第２端末の間のリンク品質が比較的高い場合、前記第２端末の特定エリアに前記ページングメッセージを送信し、又は、前記第１端末のセルラーネットワークのリンク品質が第１リンク品質閾値未満で、且つ前記第１端末と前記第２端末の間のリンク品質が予め設定された第２リンク品質閾値よりも高い場合、前記第２端末の特定エリアに前記ページングメッセージを送信する。
【００７５】
前記第１リンク品質閾値と前記第２リンク品質閾値はネットワーク装置によって確定されてもよく、たとえば、前記ネットワーク装置は伝送対象のサービスの遅延又はサービス品質（ＱｏＳ：Ｑｕａｌｉｔｙ−ｏｆ−Ｓｅｒｖｉｃｅ）要件に応じて確定され、伝送対象のサービスが低遅延サービスである場合、前記ネットワーク装置は高いリンク品質閾値を設定し、又は伝送対象のサービスのＱｏＳ要件が高い場合、高いリンク品質閾値を設定する。
【００７６】
従来技術では、前記ネットワーク装置は前記第１端末のセルラーネットワークのリンク品質又は前記第１端末がセルラーネットワークのカバレッジ内にあるか否かにかかわらず、直接セルラーネットワークによって第１端末をページングするため、前記第１端末を効果的にページングできないが、本願の実施例に係るページング方法は、前記ネットワーク装置が第１端末のセルラーネットワークのリンク品質及び／又は前記第１端末と前記第２端末の間のリンク品質に基づき、セルラーネットワークによって前記第１端末をページングするか、中継端末によって前記第１端末をページングするかを確定し、従って、前記第１端末のページングを効果的に実現でき、更にネットワーク装置から送信されるダウンリンクデータをタイムリーに受信でき、ユーザーエクスペリエンスを向上させる。
【００７７】
好ましくは、前記ネットワーク装置はアクセスネットワーク装置又はコアネットワーク装置であり、すなわち、前記ページングメッセージはアクセスネットワークから送信されるページングメッセージであってもよく、コアネットワークから送信されるページングメッセージであってもよい。
【００７８】
たとえば、前記ネットワーク装置がアクセスネットワーク装置である場合、前記ネットワーク装置は前記第２端末のアクセスネットワークにおける登録エリア又はページングエリア内で前記ページングメッセージを送信し、又は、前記ネットワーク装置がコアネットワーク装置である場合、前記ネットワーク装置は前記第２端末のコアネットワークにおける登録エリア内で前記ページングメッセージを送信する。
【００７９】
以上、図２を参照して本願の方法の実施例を詳細に説明したが、以下、図３及び図４を参照して本願の装置の実施例を詳細に説明し、なお、装置の実施例は方法の実施例に相互に対応し、類似する説明について方法の実施例を参照すればよい。
【００８０】
図３は本願の実施例に係るページング装置の概略ブロック図である。図３のページング装置３００は、
ページング対象である第１端末の情報に基づき、前記第１端末をページングするためのページングメッセージを送信するターゲットエリアを確定するように構成される確定モジュール３１０と、
前記ターゲットエリア内で前記ページングメッセージを送信するように構成される通信モジュール３２０と、を備える。
【００８１】
好ましくは、いくつかの実施例では、前記第１端末の情報は前記第１端末と第２端末の間の接続状態情報を含む。
【００８２】
好ましくは、いくつかの実施例では、前記第１端末は遠隔端末であり、前記第２端末は前記第１端末と前記装置の間の中継端末である。
【００８３】
好ましくは、いくつかの実施例では、前記確定モジュール３１０は具体的には、
前記接続状態情報が、前記第１端末と前記第２端末の間の接続が確立済みであることを示す場合、前記第２端末の特定エリアを前記ターゲットエリアとして確定するように構成され、
前記通信モジュール３２０は具体的には、
前記第２端末の特定エリア内で前記ページングメッセージを送信するように構成される。
【００８４】
好ましくは、いくつかの実施例では、前記第１端末の情報は、
前記第１端末のセルラーネットワークのリンク品質情報、前記第１端末と第２端末の間のリンク品質情報のうちの少なくとも１つを含む。
【００８５】
好ましくは、いくつかの実施例では、前記確定モジュール３１０は具体的には、
前記第１端末のセルラーネットワークのリンク品質情報が第１所定条件を満たし、及び／又は前記第１端末と前記第２端末の間のリンク品質情報が第２所定条件を満たす場合、前記第２端末の特定エリアを前記ターゲットエリアとして確定するように構成され、
前記通信モジュール３２０は具体的には、
前記第２端末の特定エリア内で前記ページングメッセージを送信するように構成される。
【００８６】
好ましくは、いくつかの実施例では、前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記第２端末の間のリンク品質情報が第２所定条件を満たすことは、前記第１端末と前記第２端末の間のリンク品質が予め設定された第２リンク品質閾値よりも高いことを含む。
【００８７】
好ましくは、いくつかの実施例では、前記第２端末の特定エリアは、
前記第２端末のコアネットワークにおける登録エリア、前記第２端末のアクセスネットワークにおける登録エリア及びアクセスネットワークのページングエリアのうちの少なくとも１つを含む。
【００８８】
好ましくは、いくつかの実施例では、前記装置はコアネットワーク装置又はアクセスネットワーク装置である。
【００８９】
好ましくは、いくつかの実施例では、前記確定モジュール３１０はさらに、
前記第１端末をページングする必要があることを確定するように構成される。
【００９０】
好ましくは、いくつかの実施例では、前記確定モジュール３１０は具体的には、
前記第１端末のダウンリンクデータが到達した場合において、前記第１端末をページングする必要があることを確定するように構成される。
【００９１】
具体的には、該ページング装置３００は上記方法２００で説明されたネットワーク装置に対応し（たとえば、ネットワーク装置に配置され又はネットワーク装置である）、且つ、該ページング装置３００中の各モジュール又はユニットはそれぞれ上記方法２００中のネットワーク装置によって実行される各動作又は処理手順を実行するように構成され、ここで、重複を避けるため、詳細説明を省略する。
【００９２】
図４に示すように、本願の実施例はページング装置４００をさらに提供し、前記ページング装置４００は図３中のページング装置４００であってもよく、図２中の方法２００に対応するネットワーク装置のコンテンツを実行する。前記ページング装置４００は、入力インタフェース４１０、出力インタフェース４２０、プロセッサ４３０及びメモリ４４０を備え、前記入力インタフェース４１０、出力インタフェース４２０、プロセッサ４３０及びメモリ４４０がバスシステムによって接続される。前記メモリ４４０はプログラム、命令又はコードを記憶するように構成される。前記プロセッサ４３０は、前記メモリ４４０中のプログラム、命令又はコードを実行して、入力インタフェース４１０による信号受信、出力インタフェース４２０による信号送信及び上記方法の実施例の操作を行うように構成される。
【００９３】
なお、本願の実施例では、前記プロセッサ４３０は中央処理装置（Ｃｅｎｔｒａｌ  Ｐｒｏｃｅｓｓｉｎｇ  Ｕｎｉｔ：「ＣＰＵ」と略称）であってもよく、前記プロセッサ４３０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は前記プロセッサは任意の通常のプロセッサ等である。
【００９４】
前記メモリ４４０は読み出し専用メモリ及びランダムアクセスメモリを含んでもよく、プロセッサ４３０に命令とデータを提供する。メモリ４４０の一部は不揮発性ランダムアクセスメモリを含んでもよい。たとえば、メモリ４４０はさらにデバイスのタイプに関する情報を記憶する。
【００９５】
実現中、上記方法の各ステップはプロセッサ４３０のハードウェアの集積論理回路又はソフトウェアの形態の命令で行われる。本願の実施例を参照して開示されている方法のステップは直接ハードウェアプロセッサによって実行され、又はプロセッサのハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。前記記憶媒体はメモリ４４０に位置し、プロセッサ４３０はメモリ４４０中の情報を読み取り、そのハードウェアと組み合わせて上記方法のステップを実行する。重複を避けるため、ここで詳細説明を省略する。
【００９６】
一実施形態では、図３中のページング装置３００に備えられた確定モジュール３１０は図４のプロセッサ４３０によって実現でき、ページング装置３００に備えられた通信モジュール３２０は図４の入力インタフェース４１０と出力インタフェース４２０によって実現できる。
【００９７】
本願の実施例はコンピュータ可読記憶媒体をさらに提供し、１つ又は複数のプログラムを記憶し、該１つ又は複数のプログラムは命令を含み、該命令が複数のアプリケーションを含む携帯型電子機器により実行されると、該携帯型電子機器に図２に示される実施例の方法を実行させる。
【００９８】
本願の実施例はコンピュータプログラムをさらに提供し、該コンピュータプログラムは命令を含み、該コンピュータプログラムがコンピュータにより実行されると、コンピュータに図２に示される実施例の方法の対応するプロセスを実行させる。
【００９９】
当業者であれば、本明細書に開示されている実施例を参照して説明される各例のユニット及びアルゴリズムステップは、電子ハードウェア、又はコンピュータソフトウェアと電子ハードウェアの組合せによって実現できると理解できる。これらの機能をハードウェアで実行するかソフトウェアで実行するかは、技術案の特定の用途及び設計制約条件に応じて確定される。当業者は本願の範囲を逸脱せずに、各特定の用途に応じて、説明された機能を異なる方法で実現できる。
【０１００】
当業者は、説明の便宜および簡潔さのために、上記システム、装置及びユニットの具体的な動作過程が、上記方法の実施例中の対応する過程を参照すればよいため、ここで詳細説明を省略すると明確に理解できる。
【０１０１】
本願に係るいくつかの実施例では、開示されているシステム、装置及び方法をほかの形態で実現できると理解すべきである。たとえば、上記装置の実施例は単に例示的なものであり、たとえば、前記ユニットの分割は単にロジック機能分割であり、実際の実装では別の分割方式を採用してもよく、たとえば複数のユニット又は要素を別のシステムに結合又は集積し、又いくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１０２】
前記分離部材として説明されたユニットは物理的に分離しているものであってもよく、物理的に分離しているものでなくてもよく、ユニットして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１０３】
また、本願の実施例の各々における各機能ユニットは１つの処理ユニットに集積されてもよく、別々に物理的に存在してもよく、２つ又は２つ以上のユニットは１つのユニットに集積されてもよい。
【０１０４】
前記機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプログラムコードを記憶可能な種々の媒体を含む。
【０１０５】
以上、本願の具体的な実施形態を説明したが、本願の保護範囲を限定するものではない。当業者が本願に開示されている技術範囲を逸脱せずに容易に想到し得る変更や置換はすべて本願の保護範囲に属する。従って、本願の保護範囲は前記特許請求の範囲の保護範囲に準じるべきである。
【図１】
2020519108.tif 000003
【図２】
2020519108.tif 000004
【図３】
2020519108.tif 000005
【図４】
2020519108.tif 000006
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
ネットワーク装置が、ページング対象である第１端末の情報に基づき、前記第１端末をページングするためのページングメッセージを送信するターゲットエリアを確定するステップと、
前記ターゲットエリア内で前記ページングメッセージを送信するステップと、を含むことを特徴とするページング方法。
【請求項２】
前記第１端末の情報は前記第１端末と少なくとも一つの第２端末の間の接続状態情報を含むことを特徴とする請求項１に記載の方法。
【請求項３】
前記第１端末は遠隔端末であり、前記少なくとも一つの第２端末は前記第１端末と前記ネットワーク装置の間の中継端末であることを特徴とする請求項２に記載の方法。
【請求項４】
前記ネットワーク装置が、ページング対象である第１端末の情報に基づき、ページングメッセージを送信するターゲットエリアを確定することは、
前記接続状態情報が、前記第１端末と前記少なくとも一つの第２端末の間の接続が確立済みであることを示す場合、前記ネットワーク装置が、前記少なくとも一つの第２端末の特定エリアを前記ターゲットエリアとして確定するステップを含み、
前記ターゲットエリア内で前記ページングメッセージを送信する前記ステップは、
前記少なくとも一つの第２端末の特定エリア内で前記ページングメッセージを送信するステップを含むことを特徴とする請求項２又は３に記載の方法。
【請求項５】
前記第１端末の情報は、前記第１端末のセルラーネットワークのリンク品質情報、前記第１端末と少なくとも一つの第２端末の間のリンク品質情報のうちの少なくとも１つを含むことを特徴とする請求項１〜３のいずれか一項に記載の方法。
【請求項６】
前記ネットワーク装置が、ページング対象である第１端末の情報に基づき、ページングメッセージを送信するターゲットエリアを確定することは、
前記ネットワーク装置が、前記第１端末のセルラーネットワークのリンク品質情報が第１所定条件を満たし、及び／又は前記第１端末と前記少なくとも一つの第２端末の間のリンク品質情報が第２所定条件を満たす場合、前記少なくとも一つの第２端末の特定エリアを前記ターゲットエリアとして確定するステップを含み、
前記ターゲットエリア内で前記ページングメッセージを送信する前記ステップは、
前記少なくとも一つの第２端末の特定エリア内で前記ページングメッセージを送信するステップを含むことを特徴とする請求項５に記載の方法。
【請求項７】
前記第１端末のセルラーネットワークのリンク品質情報が第１所定条件を満たすことは、前記第１端末のセルラーネットワークのリンク品質が予め設定された第１リンク品質閾値未満であることを含み、
前記第１端末と前記少なくとも一つの第２端末の間のリンク品質情報が第２所定条件を満たすことは、前記第１端末と前記少なくとも一つの第２端末の間のリンク品質が予め設定された第２リンク品質閾値よりも高いことを含むことを特徴とする請求項６に記載の方法。
【請求項８】
前記少なくとも一つの第２端末の特定エリアは、前記少なくとも一つの第２端末のコアネットワークにおける登録エリア、前記少なくとも一つの第２端末のアクセスネットワークにおける登録エリア及びアクセスネットワークのページングエリアのうちの少なくとも１つを含むことを特徴とする請求項４、６又は７に記載の方法。
【請求項９】
前記ネットワーク装置はコアネットワーク装置又はアクセスネットワーク装置であることを特徴とする請求項１〜８のいずれか一項に記載の方法。
【請求項１０】
前記ネットワーク装置が前記第１端末をページングする必要があることを確定するステップをさらに含むことを特徴とする請求項１〜９のいずれか一項に記載の方法。
【請求項１１】
前記ネットワーク装置が、前記第１端末をページングする必要があることを確定することは、
前記ネットワーク装置が、前記第１端末のダウンリンクデータが到達した場合において、前記第１端末をページングする必要があることを確定するステップを含むことを特徴とする請求項１０に記載の方法。
【請求項１２】
ページング装置であって、請求項１〜１１のいずれか一項に記載の方法を実施するように構成される、
前記ページング装置。
【国際調査報告】
2020519108.tif 000007
2020519108.tif 000008
2020519108.tif 000009
2020519108.tif 000010